(57)【要約】      （修正有）【課題】着用者のヘアスタイルを、フロント、サイドおよびトップからバックにかけての３箇所のバランスにより小顔の印象を形成する部分ウィッグを提供する。【解決手段】頭部の前後方向において、後方側が幅広の領域２１をなし、かつ、前方側が幅狭の領域２２をなし、前記幅広の領域２１の前記前後方向における長さ寸法よりも前記幅狭の領域２２の長さ寸法の方が大きく、前記幅広の領域２１の最大幅部分Ｗ２が後端から前記前後方向における全長の１／４以下の長さ寸法の位置にあり、前記幅狭の領域２２は、前記最大幅部分Ｗ２の寸法の１／２以下の幅寸法の小幅部分Ｗ８を含み、前記最大幅部分Ｗ２から前記小幅部分Ｗ８に向かって幅寸法が狭くなるウィッグベース２０を備え、前記ウィッグベース２０は、結着された人毛や人工毛の毛髪群を有する。【選択図】図２
2018016903.tif 000002
【特許請求の範囲】
【請求項１】
頭部の前後方向において、後方側が幅広の領域をなし、かつ、前方側が幅狭の領域をなし、
前記幅広の領域の前記前後方向における長さ寸法よりも前記幅狭の領域の長さ寸法の方が大きく、
前記幅広の領域の最大幅部分が後端から前記前後方向における全長の１／４以下の長さ寸法の位置にあり、
前記幅狭の領域は、前記最大幅部分の寸法の１／２以下の幅寸法の小幅部分を含み、
前記最大幅部分から前記小幅部分に向かって幅寸法が狭くなるウィッグベースを備え、
前記ウィッグベースは、結着された人毛や人工毛の毛髪群を有し、
着用者のヘアスタイルが、フロントはライト、サイドはタイト、かつ、トップからバックにかけてはボリューミーとなり、前記フロント、前記サイドおよび前記トップからバックにかけての３箇所のバランスにより小顔の印象を形成する部分ウィッグ。
【請求項２】
前記幅広の領域には、前記幅狭の領域よりも、高密度に前記毛髪群が結着された請求項１記載の部分ウィッグ。
【請求項３】
前記ウィッグベースは、分け目用の押さえ部を備える請求項１または２記載の部分ウィッグ。
【請求項４】
頭部の前後方向において、後方側が幅広の領域をなし、かつ、前方側が幅狭の領域をなし、
前記幅広の領域の前記前後方向における長さ寸法よりも前記幅狭の領域の長さ寸法の方が大きく、
前記幅広の領域の最大幅部分が後端から前記前後方向における全長の１／４以下の長さ寸法の位置にあり、
前記幅狭の領域は、前記最大幅部分の寸法の１／２以下の幅寸法の小幅部分を含み、
前記最大幅部分から前記小幅部分に向かって幅寸法が狭くなる部分ウィッグ用のウィッグベース。
【請求項５】
分け目用の押さえ部を備える請求項４記載の部分ウィッグ用のウィッグベース。
【発明の詳細な説明】
【技術分野】
【０００１】
本発明は、ヘアスタイルを変更して小顔の印象を形成するために利用される部分ウィッグの技術に関する。
【背景技術】
【０００２】
顔の形状・輪郭に関する看者の印象について、ヘアスタイルにより実際よりも小顔の印象を形成可能なことが知られている。例えば、略四角形に近い顔の形状・輪郭であっても、頭部のトップからバックにかけての部分をボリューミーにしたヘアスタイルにより顔の形状・輪郭について看者に錯覚を生じさせ、小顔の印象を与えることができる。
特に女性は、顔の形状・輪郭に関する看者の印象について、小顔の印象を望むことが多い。
【０００３】
また、ヘアスタイルのアレンジに際して、頭部の自毛の範囲では変形に限界があり、部分ウィッグを着用することで自毛のみでは実現が困難なヘアスタイルへ変更可能なことも知られている。
【０００４】
ところが、頭部の自毛は、加齢とともに脱毛・薄毛が生じてくる傾向にあり、特に、頭部のトップからバックにかけての部分の脱毛・薄毛が進行するケースが多い。
【０００５】
従来、頭部の前後方向において前方側（額側）が幅広の領域をなし、当該前方側よりも後方の後方側（頭部のトップからバックにかけての部分を含む。）が幅狭の領域をなす部分ウィッグ用のウィッグベースに関する技術が開示されている（特許文献１参照）。
【先行技術文献】
【特許文献】
【０００６】
【特許文献１】特開２０１１−１１１６９１号公報
【発明の概要】
【発明が解決しようとする課題】
【０００７】
しかし、上記の特許文献１に開示されている技術では、部分ウィッグ用のウィッグベースの頭部の前方を覆う前方側が幅広の領域をなし、後方側が幅狭の領域をなすため、各領域に略均一に植毛することを前提とすると、部分ウィッグの着用者のヘアスタイルを、フロントがライト、サイドがタイト、かつ、トップからバックにかけてがボリューミーとなるようにすることは困難であった。
本発明は、メーカーならではの高い技術力に基づき、試行錯誤により到達できた高い水準にあり、個人のアイデアレベルでは実現できない、製品としての現実性・完成度を誇るものである。
【０００８】
本発明の目的は、部分ウィッグの着用者のヘアスタイルを、フロントがライト、サイドがタイト、かつ、トップからバックにかけてがボリューミーとなるように簡易確実にアレンジして、フロント、サイドおよびトップからバックにかけての３箇所のバランスにより小顔の印象を形成する部分ウィッグ等を提供することにある。
【課題を解決するための手段】
【０００９】
本発明の部分ウィッグは、頭部の前後方向において、後方側が幅広の領域をなし、かつ、前方側が幅狭の領域をなし、前記幅広の領域の前記前後方向における長さ寸法よりも前記幅狭の領域の長さ寸法の方が大きく、前記幅広の領域の最大幅部分が後端から前記前後方向における全長の１／４以下の長さ寸法の位置にあり、前記幅狭の領域は、前記最大幅部分の寸法の１／２以下の幅寸法の小幅部分を含み、前記最大幅部分から前記小幅部分に向かって幅寸法が狭くなるウィッグベースを備え、前記ウィッグベースは、結着された人毛や人工毛の毛髪群を有し、着用者のヘアスタイルが、フロントはライト、サイドはタイト、かつ、トップからバックにかけてはボリューミーとなり、前記フロント、前記サイドおよび前記トップからバックにかけての３箇所のバランスにより小顔の印象を形成する。
このような構成により、幅広の領域の長さ寸法よりも幅狭の領域の長さ寸法の方が大きく、かつ、幅広の領域の最大幅部分が後端から前後方向における全長の１／４以下の長さ寸法の位置にあり、最大幅部分から幅狭の領域の小幅部分に向かって幅寸法が狭くなることとなり、ウィッグベースのサイド部分が十分な長さで確保される。そのうえ、幅狭の領域は、最大幅部分の寸法の１／２以下の小幅部分を含み、最大幅部分から小幅部分に向かって幅寸法が狭くなるため、ウィッグベースのサイド部分が相当に狭い（細い）こととなり、その結果、結着されたサイド部分の毛髪群の終端までの距離がより必要となり、結着された毛髪群の長さ寸法を大きく（長く）することができ、頭部のサイドにある自毛をしっかりと押さえつけることが可能となり、ヘアスタイルのサイドをタイトとすることを簡易確実に実現することができる。
また、ウィッグベースの幅広の領域の最大幅部分の寸法が幅狭の領域の小幅部分の寸法の２倍以上であるというような明確な差異があるため、後方側の幅広の領域（トップに対応）には相対的に多くの毛髪群を結着可能であり、前方側の幅狭の領域（フロントに対応）には相対的に少なめの毛髪群が結着されて、ヘアスタイルをフロントがライト、かつ、トップからバックにかけてがボリューミーとなるように簡易確実に実現することができる。
【００１０】
本発明の部分ウィッグは、前記幅広の領域には、前記幅狭の領域よりも、高密度に前記毛髪群が結着されたことであってもよい。
このような構成により、ヘアスタイルをフロントがライト、かつ、トップからバックにかけてがボリューミーとなるように、より効率的かつ効果的に実現することができ、フロント、サイドおよびトップからバックにかけての３箇所のバランスにより小顔の印象を形成することができる。
【００１１】
本発明の部分ウィッグは、前記ウィッグベースは、分け目用の押さえ部を備えることであってもよい。
このような構成により、分け目用の押さえ部により、分け目部分をより自然な見た目に演出することができる。
【００１２】
本発明の部分ウィッグ用のウィッグベースは、頭部の前後方向において、後方側が幅広の領域をなし、かつ、前方側が幅狭の領域をなし、前記幅広の領域の前記前後方向における長さ寸法よりも前記幅狭の領域の長さ寸法の方が大きく、前記幅広の領域の最大幅部分が後端から前記前後方向における全長の１／４以下の長さ寸法の位置にあり、前記幅狭の領域は、前記最大幅部分の寸法の１／２以下の幅寸法の小幅部分を含み、前記最大幅部分から前記小幅部分に向かって幅寸法が狭くなる。
また、本発明の部分ウィッグ用のウィッグベースは、分け目用の押さえ部を備えることであってもよい。
【発明の効果】
【００１３】
本発明によれば、部分ウィッグの着用者のヘアスタイルを、フロントがライト、サイドがタイト、かつ、トップからバックにかけてがボリューミーとなるように簡易確実にアレンジして、フロント、サイドおよびトップからバックにかけての３箇所のバランスにより小顔の印象を形成する部分ウィッグ等を提供することができる。
【図面の簡単な説明】
【００１４】
【図１】本発明の実施の形態における部分ウィッグの構成を示す側面図である。
【図２】本発明の実施の形態における部分ウィッグに用いられるウィッグベースの構成を示す平面図および斜視図である。
【図３】本発明の実施の形態における部分ウィッグの着用前後の状態を示す正面図である。
【図４】本発明の実施の形態における部分ウィッグの着用前後の状態を示す側面図である。
【図５】本発明の実施の形態における部分ウィッグに用いられるウィッグベースの変形例の構成を示す平面図および斜視図である。
【発明を実施するための形態】
【００１５】
以下、本発明の実施の形態を図面を参照しつつ説明する。
図１に示す本実施形態における部分ウィッグ１０は、図２に示す部分ウィッグ用のウィッグベース２０に、人毛や人工毛の毛髪群が結着（毛植え）されて構成されている。
【００１６】
まず、部分ウィッグ用のウィッグベース２０の構成を詳細に説明する。
部分ウィッグ用のウィッグベース２０は、所定のメッシュの網目を持つ非伸縮性ネットにより構成されており、材質は、例えば合成樹脂製の繊維素材である。伸縮性ネットや合成樹脂溶液による人口皮膚等であってもよい。ネットは二重に構成されていてもよい。
なお、部分ウィッグ用のウィッグベース２０の裏側（頭皮と接触する側）には、公知のずれ防止用のピン（金属製の留め具等）が、例えば、三箇所に縫着されていることであってもよい。
【００１７】
図２（ａ）の平面図を参照すると、部分ウィッグ用のウィッグベース２０は、頭頂部を含む頭部の一部分を覆う形状であり、平面視において、略逆洋梨形状に形成されている。以下では、図２（ａ）の上下方向を長さ方向とし、左右方向を幅方向として説明する。
頭部の前後方向（図２（ａ）の上下方向）において、後方側が幅広の領域２１をなし、前方側が幅狭の領域２２をなしている。
幅広の領域２１と幅狭の領域２２は相対的なものであり、厳密な境界を有するものではないが、ここでは、図２（ａ）中に示す、後述する押さえ部３０の上端から上方を幅広の領域２１とし、それよりも下方を幅狭の領域２２とする。
周縁ネット部（幅寸法が５ｍｍ）が、縫着部分の強度や美感を考慮して、例えば並縫いや千鳥縫いなどにより縫着されている。なお、周縁ネット部は本実施形態における部分ウィッグ用のウィッグベース２０の構成に必須ではない。
また、頭部の前方側に分け目用の押さえ部３０が、略逆Ｕ字状に形成され、周縁ネット部を含む長さ寸法が９５ｍｍであり、周縁ネット部を含む幅寸法が３０ｍｍである。前端縁が凹となる略弧状に形成されることであってもよい。
押さえ部３０は、上方から視認した場合に結着した毛髪群の分け目部分が自然に見えるように地肌に近い色に染められていてもよい。また、押さえ部３０は、ネットの該当領域をくり抜いて付加されても、また、ネットに二重に重ねて付加（オンタイプ）されてもよい。なお、押さえ部３０は本実施形態における部分ウィッグ用のウィッグベース２０の構成に必須ではない。
【００１８】
図２（ａ）に示すように、部分ウィッグ用のウィッグベース２０の長さ寸法Ｌは１３５ｍｍである。
図２（ａ）中に示す、各部分の幅寸法は、幅広の領域２１にある、Ｗ１（後端から３ｍｍの位置）は６０ｍｍであり、Ｗ２（後端から３０ｍｍの位置）は１１５ｍｍであり、Ｗ３（後端から３５ｍｍの位置）は１１２ｍｍである。
また、図２（ａ）中に示す、幅狭の領域２２にある、Ｗ４（前端から９０ｍｍの位置）は１００ｍｍであり、Ｗ５（前端から７０ｍｍの位置）は７２ｍｍであり、Ｗ６（前端から５０ｍｍの位置）は６２ｍｍであり、Ｗ７（前端から３０ｍｍの位置）は５７ｍｍであり、Ｗ８（前端から６ｍｍの位置）は５０ｍｍであり、Ｗ９（前端から０ｍｍの位置）は３０ｍｍである。
【００１９】
したがって、幅広の領域２１の長さ寸法（３５ｍｍ）よりも幅狭の領域２２の長さ寸法（１００ｍｍ）の方が大きい。また、幅広の領域２１の最大幅部分（Ｗ２）が後端から前後方向における全長（１３５ｍｍ）の１／４以下の長さ寸法（３０ｍｍ）の位置にある。
【００２０】
また、幅狭の領域２２は、最大幅部分の寸法（Ｗ２：１１５ｍｍ）の１／２以下の幅寸法の小幅部分（Ｗ８：５０ｍｍ）を含む。すなわち、幅広の領域２１の最大幅部分の寸法が幅狭の領域２２の小幅部分の寸法の２倍以上という明確な差異が生じている。
なお、前端縁（周縁ネット部のみの場合を含む）が弧状に形成されている場合等には、最小幅部分は限りなく０ｍｍに近くなり、比較に適さないケースも想定されるため、実質的に幅広の領域２１と幅狭の領域２２の幅寸法の比率として、本発明の効果を奏する構成として比較の意味を有する部分として「最小幅部分」ではなく「小幅部分」という用語を用いている。
【００２１】
また、最大幅部分（Ｗ２）から小幅部分（Ｗ８）に向かって幅寸法が緩やかに狭くなっている。
なお、最大幅部分から小幅部分に向かって幅寸法が狭くなるとは、徐々に狭くなるパターンの他に、途中で一旦膨らむような部分や波形部分を設けたパターンなども含む意味である。巧妙な設計変更により権利範囲から潜脱することを防止する趣旨である。
【００２２】
図２（ｂ）の斜視図を参照すると、部分ウィッグ用のウィッグベース２０は、頭部の形状に沿うように全体の中央部近傍（押さえ部３０の上端近傍）を最高地点とし、その高さ寸法が略２０ｍｍ程度となるように、凸状に隆起して、言い換えれば伏椀状に形成されている。
【００２３】
また、図１に示す部分ウィッグ１０は、上述した部分ウィッグ用のウィッグベース２０に、人毛や人工毛の毛髪群を結着して作製されるが、上述した幅広の領域には、幅狭の領域よりも、高密度に毛髪群が結着されたり、毛が立つように結着されることであってもよい。ヘアスタイルをフロント（幅狭の領域２２が対応）がライト、かつ、トップからバックにかけて（幅広の領域２１が対応）がボリューミーとなるように、より効率的かつ効果的に実現することができる。
【００２４】
次に、本実施形態の部分ウィッグ１０を使用した状態について使用前後を比較しつつ説明する。
図３（ａ）、図４（ａ）は部分ウィッグ１０の着用前の状態を示す正面図、側面図である。自毛に関して、頭部のトップからバックにかけての部分の脱毛・薄毛が進行して、ボリュームがなくなっている。
【００２５】
図３（ｂ）、図４（ｂ）は部分ウィッグ１０の着用後の状態を示す正面図、側面図である。
部分ウィッグ１０の着用者のヘアスタイルを、フロントがライト（毛量が少ない）、サイドがタイト（ある程度の長さの毛で自毛を押さえる）、かつ、トップからバックにかけてがボリューミー（毛量が多く毛が立つ）とすることに成功している。このようなヘアスタイルは、最近のヘアスタイルとして流行であり、かつ、定番化しつつある。このようなヘアスタイルにより、フロント、サイドおよびトップからバックにかけての３箇所のバランスにより、顔の形状・輪郭について看者に錯覚を生じさせ、小顔の印象を与えることができる。
これは、部分ウィッグ用のウィッグベース２０が、幅広の領域２１の最大幅部分の寸法が幅狭の領域２２の小幅部分の寸法の２．５倍以上であるというような明確な差異があるため、後方側の幅広の領域２１（トップからバックにかけてに対応）には相対的に多くの毛髪群を結着可能であり、前方側の幅狭の領域２２（フロントに対応）には相対的に少なめの毛髪群が結着されて、ヘアスタイルをフロントがライト、かつ、トップからバックにかけてがボリューミーとなるように簡易確実に実現することができるからである。
また、部分ウィッグ用のウィッグベース２０が、幅広の領域２１の長さ寸法よりも幅狭の領域２２の長さ寸法の方が大きく、かつ、幅広の領域２１の最大幅部分が後端から前後方向における全長の１／４以下の長さ寸法の位置にあり、最大幅部分から幅狭の領域２２の小幅部分に向かって幅寸法が狭くなっており、ウィッグベースのサイド部分が十分な長さで確保されいるからである。そのうえ、幅狭の領域２２は、最大幅部分の寸法の２／５以下の小幅部分を含み、最大幅部分から小幅部分に向かって幅寸法が狭くなるため、ウィッグベースのサイド部分が相当に狭い（細い）こととなり、その結果、結着されたサイド部分の毛髪群の終端までの距離がより必要となり、結着された毛髪群の長さ寸法を大きく（長く）することができ、頭部のサイドにある自毛をしっかりと押さえつけることが可能となり、ヘアスタイルのサイドをタイトとすることを簡易確実に実現することができるからである。
【００２６】
［変形例］
図５に部分ウィッグ用のウィッグベース２０の変形例を示す。
図５（ａ）に示すように、部分ウィッグ用のウィッグベース２０の長さ寸法Ｌは１３５ｍｍである。
図５（ａ）中に示す、各部分の幅寸法は、幅広の領域２１にある、Ｗ１（後端から１０ｍｍの位置）は９０ｍｍであり、Ｗ２（後端から３０ｍｍの位置）は１１５ｍｍであり、Ｗ３（後端から４５ｍｍの位置）は１１０ｍｍである。
また、図５（ａ）中に示す、幅狭の領域２２にある、Ｗ４（前端から８０ｍｍの位置）は１０５ｍｍであり、Ｗ５（前端から６０ｍｍの位置）は９５ｍｍであり、Ｗ６（前端から４０ｍｍの位置）は７５ｍｍであり、Ｗ７（前端から２０ｍｍの位置）は６０ｍｍであり、Ｗ８（前端から５ｍｍの位置）は４５ｍｍであり、Ｗ９（前端から０ｍｍの位置）は２０ｍｍである。
【００２７】
したがって、幅広の領域２１の長さ寸法（４５ｍｍ）よりも幅狭の領域２２の長さ寸法（９０ｍｍ）の方が大きい。また、幅広の領域２１の最大幅部分（Ｗ２）が後端から前後方向における全長（１３５ｍｍ）の１／４以下の長さ寸法（３０ｍｍ）の位置にある。
【００２８】
また、幅狭の領域２２は、最大幅部分の寸法（Ｗ２：１１５ｍｍ）の１／２以下の幅寸法の小幅部分（Ｗ８：４５ｍｍ）を含む。すなわち、幅広の領域２１の最大幅部分の寸法が幅狭の領域２２の小幅部分の寸法の２倍以上という明確な差異が生じている。
なお、前端縁（周縁ネット部のみの場合を含む）が弧状に形成されている場合等には、最小幅部分は限りなく０ｍｍに近くなり、比較に適さないケースも想定されるため、実質的に幅広の領域２１と幅狭の領域２２の幅寸法の比率として、本発明の効果を奏する構成として比較の意味を有する部分として「最小幅部分」ではなく「小幅部分」という用語を用いている。
【００２９】
また、最大幅部分（Ｗ２）から小幅部分（Ｗ８）に向かって幅寸法が緩やかに狭くなっている。
なお、最大幅部分から小幅部分に向かって幅寸法が狭くなるとは、徐々に狭くなるパターンの他に、途中で一旦膨らむような部分や波形部分を設けたパターンなども含む意味である。巧妙な設計変更により権利範囲から潜脱することを防止する趣旨である。
【００３０】
図５（ｂ）の斜視図を参照すると、部分ウィッグ用のウィッグベース２０は、頭部の形状に沿うように全体の中央部近傍（押さえ部３０の上端近傍）を最高地点とし、その高さ寸法が略２０ｍｍ程度となるように、凸状に隆起して、言い換えれば伏椀状に形成されている。
【００３１】
［その他の変形例］
部分ウィッグ用のウィッグベース２０として、略逆洋梨形状のみでなく、略逆三角形状や、横長の略長方形・横長の略楕円形状と略正方形・略円形・縦長の略長方形・縦長の略楕円形状・略逆三角形・略逆台形の組合せ形状や、その他の頭部の前後方向において、後方側が幅広の領域２１をなし、かつ、前方側が幅狭の領域２２をなす形状であり、部分ウィッグ１０の着用者のヘアスタイルを、フロントがライト、サイドがタイト、かつ、トップからバックにかけてがボリューミーとなるようにして、フロント、サイドおよびトップからバックにかけての３箇所のバランスにより小顔の印象を形成する機能を有するものが種々考えられる。
【００３２】
その他、一々例示はしないが、本発明は、その趣旨を逸脱しない範囲内において、種々の変更が加えられて実施されてよい。各構成部材の大きさ・数・材質・位置などは本発明の効果を奏する限り適宜変更可能である。
【符号の説明】
【００３３】
１０    部分ウィッグ
２０    部分ウィッグ用のウィッグベース
２１    幅広の領域
２２    幅狭の領域
３０    押さえ部
【図１】
2018016903.tif 000003
【図２】
2018016903.tif 000004
【図３】
2018016903.tif 000005
【図４】
2018016903.tif 000006
【図５】
2018016903.tif 000007